(57)【要約】【課題】分離圧解除と同一操作により画像読み取り部の搬送ローラの加圧力の切り替えを行え、操作数の増加をなくせる手差し機能付き分離搬送式原稿読み取り装置を提供することにある。【解決手段】画像読み取り部Ａの搬送ローラ１０の加圧力を分離負荷が有るときと、手差しセット時の分離負荷の無いときで切り替えられる切り替え手段１６，２０を備える手差し機能付き分離搬送式原稿読み取り装置。【選択図】        図１
2004254210.tif 000002
【特許請求の範囲】
【請求項１】
画像読み取り部の搬送ローラの加圧力を分離負荷が有るときと、手差しセット時の分離負荷の無いときで切り替えられる切り替え手段を備えることを特徴とする手差し機能付き分離搬送式原稿読み取り装置。
【請求項２】
前記搬送ローラの加圧力の切り替えを、加圧板ばねを複数部品として構成し、その板ばね群の内の１部のみの加圧力を解除することによって行うことを特徴とする請求項１記載の手差し機能付き分離搬送式原稿読み取り装置。
【請求項３】
前記搬送ローラの加圧力の切り替えを手差し分離圧の解除レバーと一体部品で行うことを特徴とする請求項１記載の手差し機能付き分離搬送式原稿読み取り装置。
【発明の詳細な説明】
【０００１】
【発明の属する技術分野】
本発明は、スキャナ、ファクシミリ、複合機における手差し機能付き分離搬送式原稿読み取り装置に関するものである。
【０００２】
【従来の技術】
手差し機能付き分離搬送式原稿読み取り装置は従来から知られている（例えば、特許文献１および特許文献２参照）。
【０００３】
図３は一般的な手差し機能付き分離搬送式原稿読み取り装置を説明する概略図である。図４は図３の一般的な手差し機能付き分離搬送式原稿読み取り装置の要部を拡大して示す概略図である。
【０００４】
図３および図４において、フィードローラ１は複数枚の原稿束２の最下紙を１枚づつ分離し、繰り出し、搬送する。分離パッド３は最下紙以外の原稿を押さえるために設けられ弾性摩擦部材で作られている。ホルダ４は分離パッド３を保持し、そして分離パッド３をフィードローラ１に押圧する分離ばね５が配置されている。
【０００５】
摺動部材からなる補助搬送板ばね１８が分離前のプリフィードを行うために設けられる。手差し機能は、ステープルされていたり、糊付けされている原稿束を分離せず搬送したい場合や、写真原稿などの分離負荷（バックテンション）を与えたくない原稿を１枚づつ読み取る場合に用いるため、通常は上述のようにフィードローラ１に押圧されている分離パッド３の加圧力を解除する機能である。
【０００６】
解除レバー１９を押し込むことによりこの解除レバー１９の先端がホルダ４のピン１７を押し上げ、分離圧が解除される（図４が分離圧を解除した状態図）。このときの原稿搬送は、補助搬送板ばね１８により行われるが、この補助搬送板ばね１８は摺動部材でできているため、搬送に対しほとんど負荷とならない。
【０００７】
原稿分離部Ｂから繰り出された原稿はそのまま下ガイド板６および上ガイド板７に案内され、原稿読み取り部Ａで原稿を搬送する上下１対の読み取り搬送ローラ部１０および対向コロ１１を介して、イメージセンサスキャナ８と原稿位置検出センサ部９に送られ、読み取りが行われて、上下１対の排出ローラ１３および対向コロ１４にて装置外へ排出される。
【０００８】
この読み取り搬送ローラ１０および排出ローラ１３の搬送力は各々の対向コロ１１、１４の回転軸１２、１５を押圧する板ばね１６の加圧力により得られる訳であるが、とくに読み取りローラ１０の搬送力は分離部でのバックテンション（原稿搬送に対する負荷）に対し十分な搬送力が無いと、スリップが発生し、狙いの搬送速度が出ず、結果として読み取り画像の縮率が狂ってしまう。
【０００９】
しかしながら、この読み取りローラ１０の搬送力（加圧力）が大きくなれば副作用として読み取り原稿後端が読み取りローラ１０およびその対向コロ１１のニップを抜けるさいにニップ吐き出し力（ニップから原稿後端を押し出す力）が増大し、瞬間的に原稿の移動速度が増加し、読み取り画像に「画像ズレ」が発生してしまう。
【００１０】
図５は画像ズレの発生する状態を示す説明図である。図に示すごとく、その画像ズレは原稿後端が読み取りローラ１０およびその対向コロ１１のニップにあるときのイメージセンサスキャナ８の読み取り位置上（その距離をαとする）に発生する。
【００１１】
「画像ズレ」とは瞬間的に搬送されている原稿の移動速度が狙い値より早くなることにより、本来読み取るべき副走査線の数本を読み飛ばしてしまうことである。
【００１２】
図６は斜め線の書かれた本来の画像の状態を説明する図である。図７は斜め線の書かれた画像を読み取ったさいの「画像ズレ」の発生例を含んでいる状態において示す図である。
【００１３】
【特許文献１】
特開２００１−３１０８４３号公報
【特許文献２】
特開２００１−１７１８５５号公報
【００１４】
【発明が解決しようとする課題】
上述したごとく、従来の分離搬送式原稿読み取り装置では分離部下流にある画像読み取り部の搬送ローラ搬送力は原稿分離部の搬送負荷（バックテンション）を考慮し読み取り画像縮率が規定の状態になるよう（スリップの無いよう）に設定されているため、本来原稿を１枚搬送するのに必要な搬送力よりかなり大きい搬送力になっている。
【００１５】
その副作用として画像読み取り部の搬送ローラニップを抜けるさいにニップ吐き出し力（ニップから原稿後端を押し出す力）が増大し、瞬間的に原稿の移動速度が増加し、読み取り画像に「画像ズレ」が発生してしまう。
【００１６】
そこで本発明の目的は、上記の問題点を解決するために、分離圧解除と同一操作により画像読み取り部の搬送ローラの加圧力の切り替えを行え、操作数の増加をなくせる手差し機能付き分離搬送式原稿読み取り装置を提供することにある。
【００１７】
【課題を解決するための手段】
前記の課題を解決するために、請求項１記載の発明では、画像読み取り部の搬送ローラの加圧力を分離負荷が有るときと、手差しセット時の分離負荷の無いときで切り替えられる切り替え手段を備える手差し機能付き分離搬送式原稿読み取り装置を最も主要な特徴とする。
【００１８】
請求項２記載の発明では、前記搬送ローラの加圧力の切り替えを、加圧板ばねを複数部品として構成し、その板ばね群の内の１部のみの加圧力を解除することによって行う請求項１記載の手差し機能付き分離搬送式原稿読み取り装置を主要な特徴とする。
【００１９】
請求項３記載の発明では、前記搬送ローラの加圧力の切り替えを手差し分離圧の解除レバーと一体部品で行う請求項１記載の手差し機能付き分離搬送式原稿読み取り装置を主要な特徴とする。
【００２０】
【発明の実施の形態】
以下、図面により本発明の実施の形態を詳細に説明する。図１は本発明による手差し機能付き分離搬送式原稿読み取り装置の実施の形態をファクシミリの原稿読み取り装置として示す概略図である。図２は図１の手差し機能付き分離搬送式原稿読み取り装置の要部を手差し時の状態において拡大して示す概略図である。
【００２１】
本発明の原稿搬送装置は分離圧を解除する手差し搬送時に分離部負荷によるバックテンションを考慮して設定された読み取り搬送ローラの加圧力を、手差し時は分離部のバックテンションが無いため、原稿１枚を搬送するのに必要最小限の搬送力となる加圧力に切り替えられ、読み取り搬送ローラの対向コロの不必要な加圧力による「画像ズレ」を低減するものである。
【００２２】
図１および図２に示すとおり、本発明と上述した従来の手差し機能付き原稿読み取り装置の違いは、読み取り搬送ローラ１０の加圧コロ１１の回転軸１２を押圧する加圧板ばねが２部品構成となっていることである。
【００２３】
なお、図１および図２の本発明による手差し機能付き分離搬送式原稿読み取り装置の実施の形態において、図３および図４において既述した一般的な手差し機能付き分離搬送式原稿読み取り装置と対応する部分には同一の参照番号を付して詳細な説明は省略している。
【００２４】
この加圧板ばねの２部品構成において、通常の原稿分離を行う場合（バックテンション有りの状態）には、主板ばね１６と補助加圧ばね２０の両者が回転軸１２を押圧し、搬送力を出す。
【００２５】
単品の加圧板ばねの加圧力を変化させると加圧力のバラツキが大きくなるが、加圧板ばねを２部品構成にすることによって、各々の設定された（部品そのものの）加圧力をばらつき無く発生させることができる。
【００２６】
手差し時は上述した従来技術におけると同様に解除レバー１９を押し込むことによってこの解除レバー１９の傾斜部１９ａがホルダ４のピン１７を押し上げ、分離圧が解除される。
【００２７】
本発明の実施の形態ではレバー１９を読み取り搬送ローラ１０の対向コロ１１の主加圧板ばね１６まで延長し、この延長部１９ｂによって分離圧の解除と同様にこの主加圧板ばね１６先端を押し上げる。
【００２８】
主加圧板ばね１６によって加圧コロ１１の加圧力を解除し、追加した補助加圧板ばね２０のみによる加圧にすることができ、従来発生していた読み取り搬送ローラの加圧のし過ぎによる「画像ズレ」を低減することができる。
【００２９】
【発明の効果】
以上説明したように、請求項１によれば、手差し機能使用時のように分離負荷（バックテンション）が無い状態では、読み取り搬送ローラの搬送力を搬送スリップの無い必要最小限に設定することができ、ニップ吐き出し力を低減することにより「画像ズレ」を低減することができる。
【００３０】
請求項２によれば、加圧板ばねの１部品（原稿分離搬送時用主板ばね）の加圧力を変化させることによる加圧力のバラツキの発生を除去することができる。
【００３１】
請求項３によれば、従来発生していた読み取り搬送ローラの加圧のし過ぎによる「画像ズレ」を低減することができる。
【図面の簡単な説明】
【図１】本発明による手差し機能付き分離搬送式原稿読み取り装置の実施の形態をファクシミリの原稿読み取り装置として示す概略図である。
【図２】図１の手差し機能付き分離搬送式原稿読み取り装置の要部を手差し時の状態において拡大して示す概略図である。
【図３】一般的な手差し機能付き分離搬送式原稿読み取り装置を説明する概略図である。
【図４】図３の一般的な手差し機能付き分離搬送式原稿読み取り装置の要部を拡大して示す概略図である。
【図５】画像ズレの発生する状態を示す説明図である。
【図６】斜め線の書かれた本来の画像の状態を説明する図である。
【図７】斜め線の書かれた画像を読み取ったさいの「画像ズレ」の発生例を含んでいる状態において示す図である。
【符号の説明】
Ａ  画像読み取り部
Ｂ  原稿分離部
１０  搬送ローラ
１６  主加圧板ばね（切り換え手段）
１９  解除レバー
１９ｂ  解除レバーの延長部（一体部品）
２０  補助加圧板ばね（切り換え手段）
【図１】
2004254210.tif 000003
【図２】
2004254210.tif 000004
【図３】
2004254210.tif 000005
【図４】
2004254210.tif 000006
【図５】
2004254210.tif 000007
【図６】
2004254210.tif 000008
【図７】
2004254210.tif 000009